(57)【要約】【課題】プリペイドカードシステムと現金対応の遊技システムとのいずれにも対応できるデビット決済による遊技媒体貸出システムを提供する。【解決手段】デビット決済によるプリペイドカードの発行時に、発行されたプリペイドカードをそのままプリペイドカードシステムに適用する遊技に使用するか、プリペイドカードに価値付けされた有価価値を精算処理により現金化するかの選択を容易におこなうことができるカード発行／精算機２００を備える。【選択図】        図２
2006000325.tif 000002
【特許請求の範囲】
【請求項１】
有価価値または特定の識別ＩＤが記録された記録媒体による残金情報の管理をおこなう記憶装置と、
デビットカードに記録されたカード情報の読み取りをおこなうカード情報読取手段とを有するデビット決済処理装置と、
前記有価価値または特定の識別ＩＤが記録された記録媒体を発行する記録媒体発行手段と、
前記記録媒体に記録された残金情報を対象とする精算処理をおこなう精算処理手段と、
前記精算処理手段に対して精算の実行を指示する精算指示手段と、
前記精算指示手段による精算要求を判定する精算要求判定手段とを有する記録媒体発行／精算装置と、
を備えたことを特徴とするデビット決済による遊技媒体貸出システム。
【請求項２】
有価価値または特定の識別ＩＤが記録された記録媒体による残金情報を記憶する記憶装置と、
デビットカードに記録されたカード情報の読み取りをおこなうカード情報読取手段とを有するデビット決済処理装置と、
前記カード情報読取手段により読み取られたカード情報に基づいて、前記デビットカード利用時に前記デビット決済処理装置との間で通信をおこなう情報処理センタと、
前記情報処理センタを介して、前記カード情報に対応した口座から遊技客が希望する決済希望金額を対象としたデビット決済処理を実行するデビット決済処理手段と、
前記デビット決済処理手段により決済処理を完了した後、決済金額或いは希望する所定分の有価価値が関連付けられた記録媒体を発行する記録媒体発行手段と、
前記記録媒体に記録された残金情報を対象とする精算処理をおこなう精算処理手段と、
前記精算処理手段に対して精算の実行を指示する精算指示手段と、
前記精算指示手段による精算要求を判定する精算要求判定手段とを有する記録媒体発行／精算装置と、
を備えたことを特徴とするデビット決済による遊技媒体貸出システム。
【請求項３】
前記記録媒体発行／精算装置は、
前記記録媒体発行手段により発行された記録媒体の発行および挿入を検知する記録媒体発行／挿入検知手段を備え、
前記記録媒体発行／挿入検知手段により記録媒体の発行が検知され、再度、当該記録媒体の挿入が検知された場合には、前記精算要求判定手段による精算要求判定に基づいて、前記精算処理手段による精算処理をおこなうことを特徴とする請求項１または２に記載のデビット決済による遊技媒体貸出システム。
【請求項４】
前記記録媒体発行／精算装置は、前記精算要求判定手段による精算要求判定時であって、且つ、前記記録媒体発行／挿入検知手段により記録媒体の再挿入が検知された際には、前記記憶装置に対する問い合わせ通信処理を中断する通信制御をおこなうことを特徴とする請求項３に記載のデビット決済による遊技媒体貸出システム。
【請求項５】
前記記録媒体発行／精算装置は、
前記記録媒体に記録された識別情報を書き換える識別情報書換手段をさらに備え、
前記識別情報書換手段は、前記精算処理手段により精算処理された記録媒体の識別ＩＤの書き換え処理をおこなう機能を備えることを特徴とする請求項１〜４のいずれか一つに記載のデビット決済による遊技媒体貸出システム。
【請求項６】
前記記録媒体発行／精算装置は、
会員を対象とする会員用記録媒体に関連付けられる残金情報を対象とする精算処理機能を備えることを特徴とする請求項１〜５のいずれか一つに記載のデビット決済による遊技媒体貸出システム。
【請求項７】
前記記憶装置は、前記精算要求判定手段による精算要求の判定時に、精算された記録媒体に関する残金情報を格納する記録媒体情報管理テーブルを備えることを特徴とする請求項１〜６のいずれか一つに記載のデビット決済による遊技媒体貸出システム。
【発明の詳細な説明】
【技術分野】
【０００１】
この発明は、デビットカードを使用するデビット決済により記録媒体（プリペードカード）の購入および精算処理をおこなえるデビット決済による遊技媒体貸出システムに関し、特にプリペイドカードの利用により遊技をおこなう遊技機と現金の利用により遊技をおこなう遊技機とのいずれにも対応できるデビット決済による遊技媒体貸出システムに関するものである。
【背景技術】
【０００２】
従来から、パチンコ機などの遊技機を設置した遊技店で遊技をおこなう遊技システムとしては、カード発行機から一旦記録媒体、例えばプリペイドカードを現金により購入し、このプリペイドカードをパチンコ機に隣接されたカード処理機に挿入することにより、プリペイドカードに付与された有価価値（購入金額）に応じて遊技媒体（パチンコ玉など）を借り受けるプリペイドカードを使用した遊技媒体貸出システムが主流となっている（プリペイドカードシステム）。
【０００３】
ここで、プリペイドカードの残額が無くなり、新たに新規のプリペイドカードを購入或はプリペイドカードへの追加入金をおこなう際、現金の持ち合わせが無い場合には、その都度銀行に行って現金を引き出してくる等の手間や不都合がある。このような不都合に対応すべく、近年では遊技店内にデビット決済用のデビット端末機を設置し、デビットカード（銀行や郵便貯金のキャッシュカード）を用いる決済により遊技客の希望金額分のプリペイドカードを購入するデビット決済による遊技媒体貸出システムが考案されている（例えば、特許文献１参照）。
【０００４】
この種のデビット決済による遊技媒体貸出システムにおいては、デビットカードを使用して遊技客の口座から購入したプリペイドカードの有価価値分の引き落としをおこない、このデビット処理により購入したプリペイドカードを使用して遊技媒体（パチンコ玉など）を借り受けて遊技をおこなうものである。この場合、購入したプリペイドカードの残金分は、カード精算機により精算可能となっている。
【０００５】
【特許文献１】特開２００３−１６４９７号公報
【発明の開示】
【発明が解決しようとする課題】
【０００６】
ところが、上述した従来のデビット決済による遊技媒体貸出システムの場合、以下に示すような問題がある。すなわち、一般に遊技店内に設置されている遊技機は、プリペイドカードの利用によって遊技をおこなうパチンコ機（ＣＲ機）だけではなく、現金を受け付けて玉を貸し出す現金対応の台間玉貸出機や、現金を受け付けてパチスロ用のメダルを貸し出すメダル貸出機が設置されている。
【０００７】
このため、現金対応の台間玉貸出機やメダル貸出機を利用したい遊技客は、一旦、カード発行機でプリペイドカードを購入してから、このプリペイドカードをカード精算機に挿入し、精算処理により現金化した現金を使用して遊技をおこなうことになるため複雑な手間がかかり、利便性の点で問題がある。
【０００８】
以上のような理由から現金を使用して遊技をおこなう遊技客の場合には、デビット端末機の利用が減少傾向となっているため、遊技店に設置したデビット決済に対応するための設備が有効に活用されていないという問題がある。
【０００９】
また、遊技店では、プリペイドカードの発行金額と精算金額により、遊技客が実際に遊技により消費した消費金額（平均消費金額）を営業情報として収集し、営業戦略情報として活用を図ったり、遊技客の遊技による動向分析をおこなっている。ところが、プリペイドカードではなく、現金で遊技をおこなう遊技客がプリペイドカードの購入（発行）および精算した分もデータとしては残存するため正確な消費金額を算出することができないという問題がある。このため、より正確な情報収集をおこなうためには、プリペイドカードの発行直後に精算をおこなった遊技客の人数、累計金額などを差分としてカウント、計算をおこなう必要があることから実質的にデータ収集および分析作業が複雑になってしまうという問題がある。
【００１０】
また、カード発行機で購入したプリペイドカードをそのままカード精算機に挿入して現金化（精算）する遊技客が多くなると、カード発行機内に収容されているカード自体の収容枚数が減ってしまうという問題がある。つまり、現金での遊技を希望する遊技客がデビット決済によるカードの購入とカード精算機による精算処理を繰り返せば、本来必要としないカードの発行のために、カードの収容残数が少なくなり、カード補充の手間がかかってしまうという問題がある。
【００１１】
この発明は、上述した従来技術における課題を解決するためになされたものであり、プリペイドカードの利用により遊技をおこなう遊技機と現金の利用により遊技をおこなう遊技機とのいずれにも対応できるデビット決済による遊技媒体貸出システムを提供することを目的とする。
【課題を解決するための手段】
【００１２】
上述した課題を解決し、目的を達成するために、請求項１に記載の発明は、有価価値または特定の識別ＩＤが記録された記録媒体による残金情報の管理をおこなう記憶装置と、デビットカードに記録されたカード情報の読み取りをおこなうカード情報読取手段とを有するデビット決済処理装置と、前記有価価値または特定の識別ＩＤが記録された記録媒体を発行する記録媒体発行手段と、前記記録媒体に記録された残金情報を対象とする精算処理をおこなう精算処理手段と、前記精算処理手段に対して精算の実行を指示する精算指示手段と、前記精算指示手段による精算要求を判定する精算要求判定手段とを有する記録媒体発行／精算装置と、を備えたことを特徴とする。
【００１３】
また、請求項２に記載の発明は、有価価値が記録された記録媒体による残金情報を記憶する記憶装置と、デビットカードに記録されたカード情報の読み取りをおこなうカード情報読取手段とを有するデビット決済処理装置と、前記カード情報読取手段により読み取られたカード情報に基づいて、前記デビットカード利用時に前記デビット決済処理装置との間で通信をおこなう情報処理センタと、前記情報処理センタを介して、前記カード情報に対応した口座から遊技客が希望する決済希望金額を対象としたデビット決済処理を実行するデビット決済処理手段と、前記デビット決済処理手段により決済処理を完了した後、決済金額或いは希望する所定分の有価価値が関連付けられた記録媒体を発行する記録媒体発行手段と、前記記録媒体に記録された残金情報を対象とする精算処理をおこなう精算処理手段と、前記精算処理手段に対して精算の実行を指示する精算指示手段と、前記精算指示手段による精算要求を判定する精算要求判定手段とを有する記録媒体発行／精算装置と、を備えたことを特徴とする。
【００１４】
また、請求項３に記載の発明は、請求項１、２に記載の発明において、前記記録媒体発行／精算装置は、前記記録媒体発行手段により発行された記録媒体の発行および挿入を検知する記録媒体発行／挿入検知手段を備え、前記記録媒体発行／挿入検知手段により記録媒体の発行が検知され、再度、当該記録媒体の挿入が検知された場合には、前記精算要求判定手段による精算要求判定に基づいて、前記精算処理手段による精算処理をおこなうことを特徴とする。
【００１５】
また、請求項４に記載の発明は、請求項３に記載の発明において、前記記録媒体発行／精算装置は、前記精算要求判定手段による精算要求判定時であって、且つ、前記記録媒体発行／挿入検知手段により記録媒体の再挿入が検知された際には、前記記憶装置に対する問い合わせ通信処理を中断する通信制御をおこなうことを特徴とする。
【００１６】
また、請求項５に記載の発明は、請求項１〜４のいずれか一つに記載の発明において、前記記録媒体発行／精算装置は、前記記録媒体に記録された識別情報を書き換える識別情報書換手段をさらに備え、前記識別情報書換手段は、前記精算処理手段により精算処理された記録媒体の識別ＩＤの書き換え処理をおこなう機能を備えることを特徴とする。
【００１７】
また、請求項６に記載の発明は、請求項１〜５のいずれか一つに記載の発明において、前記記録媒体発行／精算装置は、会員を対象とする会員用記録媒体に関連付けられる残金情報を対象とする精算処理機能を備えることを特徴とする。
【００１８】
また、請求項７に記載の発明は、請求項１〜６のいずれか一つに記載の発明において、前記記憶装置は、前記精算要求判定手段による精算要求の判定時に、精算された記録媒体に関する残金情報を格納する記録媒体情報管理テーブルを備えることを特徴とする。
【発明の効果】
【００１９】
請求項１に記載の発明によれば、有価価値または特定の識別ＩＤが記録された残金情報の管理をおこなう記憶装置と、デビットカードに記録されたカード情報の読み取りをおこなうカード情報読取手段とを有するデビット決済処理装置と、前記有価価値または特定の識別ＩＤが記録された記録媒体を発行する記録媒体発行手段と、前記記録媒体に記録された残金情報を対象とする精算処理をおこなう精算処理手段と、前記精算処理手段に対して精算の実行を指示する精算指示手段と、前記精算指示手段による精算要求を判定する精算要求判定手段とを有する記録媒体発行／精算装置と、を備えたので、デビットカードによるデビット処理の利用頻度を増大させることができるうえ、デビット端末機を有効活用することができるという効果を奏する。
【００２０】
また、請求項２に記載の発明によれば、有価価値または特定の識別ＩＤが記録された記録媒体による残金情報を記憶する記憶装置と、デビットカードに記録されたカード情報の読み取りをおこなうカード情報読取手段とを有するデビット決済処理装置と、前記カード情報読取手段により読み取られたカード情報に基づいて、前記デビットカード利用時に前記デビット決済処理装置との間で通信をおこなう情報処理センタと、前記情報処理センタを介して、前記カード情報に対応した口座から遊技客が希望する決済希望金額を対象としたデビット決済処理を実行するデビット決済処理手段と、前記デビット決済処理手段により決済処理を完了した後、決済金額或いは希望する所定分の有価価値が関連付けられた記録媒体を発行する記録媒体発行手段と、前記記録媒体に記録された残金情報を対象とする精算処理をおこなう精算処理手段と、前記精算処理手段に対して精算の実行を指示する精算指示手段と、前記精算指示手段による精算要求を判定する精算要求判定手段とを有する記録媒体発行／精算装置と、を備えたので、デビットカードによるデビット決済の利用頻度を増大させることができるうえ、デビット端末機を有効活用することができるという効果を奏する。
【００２１】
また、請求項３に記載の発明によれば、前記記録媒体発行／精算装置は、前記記録媒体発行手段により発行された記録媒体の発行および挿入を検知する記録媒体発行／挿入検知手段を備え、前記記録媒体発行／挿入検知手段により記録媒体の発行が検知され、再度、当該記録媒体の挿入が検知された場合には、前記精算要求判定手段による精算要求判定に基づいて、前記精算処理手段による精算処理をおこなうので、精算処理時の操作性を多様化できるうえ、精算処理時の操作を容易にできるという効果を奏する。
【００２２】
また、請求項４に記載の発明によれば、前記記録媒体発行／精算装置は、前記精算要求判定手段による精算要求判定時であって、且つ、前記記録媒体発行挿入検知手段により記録媒体の再挿入が検知された際には、前記記憶装置に対する問い合わせ通信処理を中断する通信制御をおこなうので、管理装置に対するカード情報に関わる通信処理（カードに価値付けされた残度数の確認要求や問い合わせ／ターミナルコントローラ４００から送信される残度数の受信／暗号化にかかる通信処理など）をおこなう必要がなくなるため、これによって、通信待ち時間の短縮化を図ることができるという効果を奏する。
【００２３】
請求項５に記載の発明によれば、前記記録媒体発行／精算装置は、前記記録媒体に記録された識別情報を書き換える識別情報書換手段をさらに備え、前記識別情報書換手段は、前記精算処理手段により精算処理された記録媒体の識別ＩＤの書き換え処理をおこなう機能を備えるので、精算処理された記録媒体の識別ＩＤを、識別情報書換手段により、別の識別ＩＤに書き換えることにより、次の発行に使用するカードとすることができ、記録媒体の再利用（リサイクル）を可能とし、この結果、カード補充の手間を軽減できるという効果を奏する。
【００２４】
請求項６に記載の発明によれば、前記記録媒体発行／精算装置は、会員を対象とする会員用記録媒体に関連付けられる残金情報を対象とする精算処理機能を備えるので、会員に対する精算処理による利便性を向上できるという効果を奏する。
【００２５】
請求項７に記載の発明によれば、前記記憶装置は、前記精算要求判定手段による精算要求の判定時に、精算された記録媒体に関する残金情報を格納する記録媒体情報管理テーブルを備えるので、記録媒体情報管理テーブルに格納された識別ＩＤに対応する記録情報に基づいて、残金情報に基づく精算処理を正確におこなうことができるという効果を奏する。
【発明を実施するための最良の形態】
【００２６】
以下に、添付図面を参照して、この発明に係るデビット決済による遊技媒体貸出システムの好適な実施例を詳細に説明する。なお、以下に示す実施例では、遊技媒体貸出システムの概要および特徴を説明した後に、遊技媒体貸出システムの全体構成を説明し、次いで、カード発行／精算機２００（記録媒体発行／精算装置）によるデビット決済時（デビット利用時）のカード発行処理手順および精算処理手順を説明する。そして、最後に、他の実施例として種々の変形例を説明することとする。なお、以下に示す実施例によりこの発明が限定されるものではない。
【実施例１】
【００２７】
（遊技媒体貸出システムの概要および特徴）
まず最初に、図１を参照して、本実施例１に係る遊技媒体貸出システムの概要および特徴を説明する。図１は、本実施例１に係るカード発行／精算機２００（記録媒体発行／精算装置）を含む遊技媒体貸出システムの構成を示すシステム構成図である。また、図２は、本発明の遊技媒体貸出システムにおける遊技媒体貸出システムに係わる情報処理センタ６００、デビット端末機３００、カード発行／精算機２００、ターミナルコントローラ４００（Ｔ／Ｃ）の概略構成および接続態様を示すシステム構成図である。
【００２８】
まず、図１および図２を参照して、本発明に係る遊技媒体貸出システムの概要を説明する。すなわち、図１に示すように、遊技媒体貸出システムは、ターミナルコントローラ４００（Ｔ／Ｃ）の制御下にある島コントローラ２５５に接続されるパチンコ機１００およびカード処理機１５０からなるプリペイドカードシステムと、公衆回線網４５０を通じて通信接続された情報処理センタ６００（デビット決済処理をおこなうデビット決済センタ）とからなるデビットカードシステムにより構成されている。
【００２９】
また、図２に示すように、遊技店内において、デビット端末機３００とカード発行／精算機２００と管理装置であるターミナルコントローラ４００（Ｔ／Ｃ）とが通信接続され、このうちデビット端末機３００は、遊技店の店外において、公衆回線網４５０を介してデビット決済処理をおこなう情報処理センタ６００（デビット決済センタ）に接続されている。ターミナルコントローラ４００は、プリペイドカードの残度数（残金）の管理をおこなうプリペイドカード残金管理テーブル４１１を備えている。
【００３０】
ここで、本発明の特徴部分であるカード発行／精算機２００は、プリペイドカードの発行機能と精算処理機能の両方を備えた装置であって、デビット決済によるプリペイドカードの発行時に、カード発行／精算機２００から発行されたプリペイドカードをそのままプリペイドカードシステムに適用する遊技に使用するか、プリペイドカードに価値付けされた有価価値を精算処理により現金化するかの選択が可能な「プリペイドカード発行／精算モード選択機能」を備え、プリペイドカードの発行処理と精算処理とを連続的におこなうことを特徴としている。
【００３１】
図２を参照して、この遊技媒体貸出システムによる主たる特徴は、プリペイドカードの発行処理と精算処理とを連続的におこなうことにある。以下、本発明の特徴を具体的に説明すると、デビット端末機３００は、遊技客のデビットカード（キャッシュカード）に記録されたカードＩＤ（識別ＩＤ）の読み取り、暗証番号の入力を受け付けると、カード発行／精算機２００に対して、「カード発行操作可通知」を送信し、カード発行／精算装置２００では、遊技客が希望するプリペイドカードの発行金額をデビット端末機３００へ返信する。
【００３２】
デビット端末機３００は、公衆回線網４５０を通じて情報処理センタ６００に送信するとともに、情報処理センタ６００はデビット決済を実行し、この決済がＯＫの場合に、カード発行／精算装置２００からターミナルコントローラ４００に対して、読み取ったカードの識別ＩＤに対応する有価価値（残金情報）の確認をおこない、ターミナルコントローラ４００では、カード発行／精算機２００から送信された残金情報の問い合わせに基づいて、プリペイドカード残度数管理テーブル４１１から、カードＩＤに対応する残金情報を抽出し、この残金情報をカード発行／精算機２００に送信し、以下、カード発行／精算機２００のプリペイドカード発行／精算モード選択処理によりプリペイドカードの発行或いは、精算をおこなうようにしている。ここで、キャッシュカードの識別ＩＤは、デビット端末機３００と情報処理センタ６００との間で、識別情報として通信され、プリペイドカードの識別ＩＤは、カード発行／精算機２００とターミナルコントローラ４００との間（使用時はＣＲユニットを含む）で、識別情報として通信される。
【００３３】
さらに具体的に説明すると、精算（現金化）をおこなう場合は、プリペイドカードの発行時点で精算ボタン２３０を押下（ＯＮ）するか、若しくはカード発行／挿入口２５０に保持されたプリペイドカードの後端部を内部へ押し込むことにより、このカードの残度数を読み取って、その場で精算処理をおこなうことができるようにしている。また、精算をおこなわず、そのまま遊技をおこなう場合には、カード発行／挿入口２５０の位置に保持されたプリペイドカードを取り出し、ＣＲ対応のパチンコ機などで遊技をおこなうことができるようにしている。これにより、カード発行／精算機２００の精算機能により現金化した現金を使用して、プリペイドカードが使用できない現金対応のパチスロ機や台間玉貸出機を対象とした遊技を可能としている。
【００３４】
また、本実施例に係るカード発行／精算システムは、上記の主たる特徴に関連して以下のような特徴も付加的に有するものである。この特徴を具体的に説明すると、本実施例では、プリペイドカードの発行時、このプリペイドカードはカード発行／挿入口２５０の位置に、半出し状態で保持した状態で（図９参照）、即時、精算処理をおこなえるようにしている。
【００３５】
すなわち、これによって、カードの引き抜きがないことが判明することから、ターミナルコントローラ４００に対して、カード発行／精算機２００から発行されたカードに記録された識別ＩＤの問い合わせが不要となり、従来のように、ターミナルコントローラ４００に必ずしもカード情報に関わる通信処理（カードに価値付けされた残度数の確認要求や問い合わせ／ターミナルコントローラ４００から送信される残度数の受信／暗号化にかかる通信処理など）をおこなう必要がなくなるため、これによって、通信待ち時間の短縮化を図ることができる。
【００３６】
また、さらに、上述したように、カード発行／精算機２００から発行されたプリペイドカードはカード発行／挿入口２５０（図７）の位置に、半出し状態で保持する構成としているため、これによって、外部からの悪意によるプリペイドカードの抜き取りや不正なカードを使用した精算を確実に防止することができる。
【００３７】
（遊技媒体貸出システムの構成）
以下に添付図面を参照して、この発明に係るデビット決済による遊技媒体貸出システムの好適な実施例を詳細に説明する。図１は、本発明に係る遊技媒体貸出システムの概略を示す全体構成図である。
【００３８】
なお、ここで例示する遊技媒体貸出システムにおいて適用される記録媒体としては、プリペイドカード、デビットカード、会員カードを適用するものとする。このうちデビットカードとしては、銀行や郵便局などで使用されるキャッシュカードを対象とする。
【００３９】
会員カードは、住所や氏名等の会員情報を登録した会員である利用客に対して遊技店が発行する合成樹脂製のカード（ＪＩＳII）であり、各種の情報が磁気記録および印字してあるカードである。具体的には、発行店の識別情報や会員コード等の会員識別情報が磁気記録してあるとともに、発行した店コード、会員コード等の情報が印字してあり、記録内容の一部を目視できるようになっている。
【００４０】
また、プリペイドカードおよび会員カードには、それぞれパチンコ玉を借り受ける際の基準となる有価価値、具体的には「度数」と称される有価価値を付与してある。ここでいう「度数」とは、パチンコ玉の貸出処理単位であり、所定のレートで設定してある。一般的には、１度数が１００円に対応し、１度数でパチンコ玉を２５個だけ貸し出すように設定してある。本例では、このプリペイドカードによる残金情報は、ターミナルコントローラ４００の残金情報管理テーブル４１１（図４参照）内に記憶されている。
【００４１】
以下、本実施例１に係るデビット決済による遊技媒体貸出システムの詳細について説明する。すなわち、図１に示すように、遊技媒体貸出システムは、それぞれ「島」と呼ばれるグループごとに配設された複数のパチンコ機１００（ＣＲ機）およびカード処理機１５０と現金対応のパチスロ機１８０と、メダル貸出機１９０と、カード発行／精算機２００と、デビット端末機３００とから構成されている。
【００４２】
前述したように、カード発行／精算機２００は、プリペイドカードの発行機能と精算処理機能の両方を備えた装置である。このカード発行／精算機２００は、プリペイドカードの発行処理と精算処理とを連続的におこなう機能を備えている。また、このカード発行／精算機２００は、プリペイドカードの発行処理以外に、プリペイドカードや会員カードによる追加入金をおこなう機能およびデビットカードの利用時において、遊技客により購入希望金額が選択されると、この選択された金額情報（発行金額情報）や発行店、日付、カードを特定する情報を当該カードの磁気ストライプ部に磁気記録し、かつカード表面に金額（発行金額）と表示ＩＤを印字したプリペイドカードを発行する機能を備えている。なお、このカード発行／精算装置２００は、本発明の特徴部分であるため、構成および機能の詳細については、後述する。
【００４３】
カード処理機１５０は、遊技店に設置された複数のパチンコ機１００それぞれに対して１台ずつペアとなるように用意され、これらパチンコ機１００の相互間に挟まれる形で設置してあり、プリペイドカードや会員カードに関連付けられた残度数を上限とするパチンコ玉の貸し出し処理を主機能とするものである。
【００４４】
カード処理機１５０は、カード挿入口にプリペイドカードが挿入されると、ターミナルコントローラ４００に問い合わせて、その有価価値データを取得し、遊技客によるパチンコ機１００への遊技媒体の貸し出し要求に基づいて、有価価値データ（残度数）の範囲内で、遊技媒体を貸し出す処理をおこなうことができる。遊技客は、この遊技媒体（パチンコ玉）を用いてパチンコ機１００により遊技をおこなうことができる。
【００４５】
また、カード発行／精算機２００に対応して、デビット端末機３００が併設されている。このデビット端末機３００は、カード発行／精算機２００によるプリペイドカードの発行に関するデビット決済処理をおこなう機能を備えている。
【００４６】
デビット端末機３００は、カード発行／精算機２００に隣接して設置され、かつ当該カード発行／精算機２００と通信路で接続されている。また、このデビット端末機３００は、遊技店の店外において、公衆回線網４５０を介して情報処理センタ６００に接続されている。このデビット端末機３００の構成および機能の詳細についても、後述する。
【００４７】
さらに、この情報処理センタ６００は、デビットカード発行銀行８００、加盟店銀行９００のそれぞれのコンピュータとＣＡＦＩＳネットワーク７００（クリアリングセンタ７１０を含む）を介して接続されている。以上のように、このＣＡＦＩＳネットワークを核とし、更に、情報処理センタ６００の遊技店内に設置されたデビット端末機３００へと継がるシステム部分は、デビットカードシステムと称されている。
【００４８】
これらパチンコ機１００、カード処理機１５０、パチスロ機１８０、メダル貸出機１９０、カード発行／精算機２００は、各島に設けた島コントローラ２５５を通じてターミナルコントローラ４００（Ｔ／Ｃ）の制御下にある。このターミナルコントローラ４００は、遊技店に少なくとも１台設置してあり、設置した遊技店の統括管理、例えばカード管理、会員の管理、売上管理等をおこなうとともに、上述したように、プリペイドカードおよび会員カード個々の有価価値に関する残金情報を記憶管理する部分である。
【００４９】
また、ターミナルコントローラ４００は、パチンコ店外のカード会社センタ５００の中央管理コンピュータと公衆回線網４６０により接続されており、この中央管理コンピュータを用いてターミナルコントローラ４００内のデータを管理できるようになっている。
【００５０】
次に、図１に示したターミナルコントローラ４００の構成および機能の詳細について説明する。図３は、ターミナルコントローラ４００の内部構成を示すブロック図である。図３に示すように、ターミナルコントローラ４００は、ＲＡＭ４１０と、ＣＰＵ４１２と、ＲＯＭ４１３と、通信Ｉ／Ｆ部４１４と、表示部４１５と、入力部４１６とにより構成されている。ターミナルコントローラ４００のＲＡＭ４１０内には、プリペイドカード残金管理テーブル４１１が格納されている。
【００５１】
ＣＰＵ４１２は、ＲＯＭ４１３に格納されたプログラムに基づいて上述した各種処理を実現するための部分である。なお、図中の符号４１５は、上述した各種管理情報を表示するための表示部、また符号４１６は、オペレータが設定を行う際に操作する入力部（キーボード、マウス等）である。
【００５２】
プリペイドカード残金管理テーブル４１１は、プリペイドカードに記録されたカードＩＤを、発行時点での発行金額、残金額をそれぞれ対応付けるとともに、本例では、さらにカードＩＤ毎の精算期限が設定された記憶テーブルである。このプリペイドカード残金管理テーブル４１１に格納されたそれぞれの残金額情報は、通信Ｉ／Ｆ部４１４を通じて、読み出し要求（カード発行／精算機２００からの残金情報の確認依頼）があった場合にはＣＰＵ４１２によって、その都度ＲＡＭ４１０から読み出される一方、減算更新要求や加算更新要求があった場合には、ＣＰＵ４１２によって適宜更新されることになる。
【００５３】
図４は、プリペイドカード残金管理テーブル４１１の一例を示している。前述したように、このプリペイドカード残金管理テーブル４１１は、プリペイドカードに記録されたカードＩＤ、発行時点での発行金額、残金額、カードＩＤ毎の精算期限が設定された記憶テーブルである。このプリペイドカード残金管理テーブル４１１の内容を具体的に説明すると、カードＩＤ「Ａ００２９８」、「Ａ００３００」、「Ａ００３０１」、「Ａ００３２４」は、一般の遊技客によるプリペイドカードの識別ＩＤを示しており、カードＩＤ「Ｂ００１２３」、「Ｂ００２３８」、「Ｂ００３４５」は、それぞれ会員が所有する会員カードの識別ＩＤを示している。例えば、「Ａ００３２４」の識別ＩＤが記録されたプリペイドカードの場合、５０００円の発行金額（価値付け金額）に対して、４０００円分の使用実績により、残金が１０００円となっている状態を示すものであり、さらに、この残金１０００円の精算期限は、３月１５日となっていることを示している。なお、このプリペイドカード残金管理テーブル４１１には、精算時刻や精算処理方法（精算ボタン２３０の押下（ＯＮ）による精算処理／押し込みによる精算処理）などの項目を設定して、より詳細に記録情報の管理をするようにしてもよい。
【００５４】
次に、図５および図６を参照して、本実施例１に係る遊技媒体貸出システムに適用するデビット端末機３００の構成および機能の詳細について説明する。図５は、デビット端末機３００の外観を示した正面図、図６は、このデビット端末機３００の内部構成を示す機能ブロック図である。以下、これら図５、６を参照しながら、デビット端末機３００の詳細について説明する。
【００５５】
図５に示すように、デビット端末機３００は、縦型の筐体により構成されており、上から順番に、表示部３１０、操作入力部３２０、デビットカード挿入／返却口３３０、レシート発行口３３５とを備えている。
【００５６】
表示部３１０は、デビット決済による取引金額（プリペイドカードの購入金額）や遊技客による入力操作のガイダンスをおこなう各種情報を表示する機能を有しており、例えば液晶表示器によって構成してある。
【００５７】
操作入力部３２０は、確認スイッチや取消スイッチ等の各種機能スイッチ、さらにはデビットカード（キャッシュカード）の暗証番号を入力するためのテンキースイッチを備えて構成したものである。
【００５８】
デビットカード挿入／返却口３３０は、キャッシュカード（デビットカード）を受け入れて、取り込んだデビットカードをデビットカード処理部３５０（図６）において所望の処理を施した後、再度、このデビットカードを返却するための開口である。
【００５９】
レシート発行口３３５は、印字部３４０（図６）において印字処理されたレシートを、遊技客用の利用控えとして排出するための開口である。このレシート発行口３３５からはデビット決済による結果（ＯＫかＮＧ）が印字されたレシートを発行することもできる。
【００６０】
次に、図６を参照してデビット端末機３００の内部構成の詳細について説明する。すなわち、図６に示すように、デビット端末機３００の内部は、表示部３１０と、外部操作入力部３２０（操作入力部）、デビットカード挿入／返却口３３０と、レシート発行口３３５と、印字部３４０と、デビットカード処理部３５０と、デビット制御部３６０と、通信Ｉ／Ｆ部３７０と、通信Ｉ／Ｆ部３７５とを備えている。
【００６１】
印字部３４０は、デビット制御部３６０から通知された情報を、レシート発行口３３５から発行されるレシートに印字するための機能を有している。具体的には、この印字部３４０により、レシートに対してデビット処理に係る金額情報などが印字される。
【００６２】
デビットカード処理部３５０は、デビットカード挿入／返却口３３０から取り込んだデビットカードに磁気記録されているカード情報を読み取り、その読み取り結果をデビット制御部３６０に通知する機能を備えている。
【００６３】
通信Ｉ／Ｆ部３７０は、公衆回線網４５０を通じて情報処理センタ６００との間で通信自在となっており、デビット端末機３００から通信Ｉ／Ｆ部３７０を通じて、決済希望金額に関わる決済依頼通知などが情報処理センタ６００に送信される。また、通信Ｉ／Ｆ部３７５は、カード発行／精算機２００（図８）の通信Ｉ／Ｆ部２９１ａと通信自在となっており、これら通信Ｉ／Ｆ部３７５と通信Ｉ／Ｆ部２９１ａを通じて、デビット端末機３００とカード発行／精算機２００との間で、各種情報（プリペイドカードの所有する残金情報など）の送受信がおこなわれる。
【００６４】
次に、図７および図８を参照して、本実施例１に係る遊技媒体貸出システムに適用するカード発行／精算機２００の構成および機能の詳細について説明する。図７は、カード発行／精算機２００の外観を示した正面図、図８は、このカード発行／精算機２００の内部構成を示す機能ブロック図である。以下、これら図７、８を参照しながら、カード発行／精算機２００の詳細について説明する。
【００６５】
すなわち、図７に示すように、カード発行／精算機２００は、縦型の筐体により構成され、筐体２１０の前面に設けた扉体２１１において、上から順に表示部２２０と、精算ボタン２３０と、返却ボタン２３５と、金額選択ボタン２４０と、カード発行／挿入口２５０と、紙幣払い出し口２６０と、硬貨払い出し口２６５とを備えている。
【００６６】
表示部２２０は、カード発行／精算機２００により算定された精算金額などの精算明細データを表示する液晶表示部（ＬＣＤ）である。具体的には、精算制御部２９０（図９）から与えられた入力ガイダンス等の情報を表示する機能およびカードの残度数（残金情報）や精算可能金額などを表示する機能を備えている。
【００６７】
精算ボタン２３０は、プリペイドカードに価値付けされた残金情報を精算処理により現金化する機能を備えている。返却ボタン２３５は、カード発行／精算機２００による処理を途中で停止させる機能を備えており、この返却ボタン２３５の押下（ＯＮ）時には、カード発行／挿入口２５０から、挿入したカードを返却することができる。
【００６８】
金額選択ボタン２４０は、プリペイドカードの購入金額である５種類の発行金額（例えば、１０００００円、５０００円、３０００円、２０００円、１０００円）から希望する金額分のプリペイドカードを選択して購入する機能を有している。
【００６９】
カード発行／挿入口２５０は、カード発行／精算機２００から発行されたプリペイドカードの発行口としての機能および一旦発行されたカードを取り込んで精算処理をおこなうための挿入口としての機能を備えている。また、会員を対象とする会員カードの場合には、このカード発行／挿入口２５０に挿入されて精算処理された会員カードは、再度、このカード発行／挿入口２５０を通じて返却される。
【００７０】
紙幣払出口２６０は、精算をおこなう遊技客に対して、紙幣処理部２７１（図８）により算定された金額分の紙幣を紙幣収納部２７２に収納された紙幣から払い出すための開口部である。硬貨払出口２６５は、精算をおこなう遊技客に対して、紙幣以外の５００円硬貨や１００円硬貨などを、ホッパ２７４（図８）から払い出すための投出口である。
【００７１】
次に、図８を参照して、カード発行／精算機２００の内部構成の詳細について説明する。すなわち、図８に示すように、カード発行／精算機２００の内部は、カードの発行機能を備えた発行制御部２８０と、カードが保有する残金による精算機能を備えた精算制御部２９０とから構成され、精算ボタン２３０と、返却ボタン２３５と、金額選択ボタン２４０と、カード発行／挿入口２５０と、表示部２２０と、表示制御部２２０ａと、カード発行／挿入処理部２６０と、紙幣処理部２７１と、紙幣収納部２７２と、硬貨処理部２７３と、ホッパ２７４と、発行制御部２８０と、識別ＩＤ書換部２８１と、精算制御部２９０と、通信Ｉ／Ｆ部２９１ａ、２９１ｂとを備えている。
【００７２】
また、カード発行／挿入処理部２６０は、カード情報読取部２６１と、カード搬送機構部２６２と、第１カード発行／挿入検知センサ２６５と、第２カード発行／挿入検知センサ２６６と識別ＩＤ書換部２８１とカード収納部２９４とを備えている。
【００７３】
カード情報読取部２６１は、カード発行／挿入口２５０から挿入された記録媒体であるプリペイドカード、会員カードに記録された記録情報（識別ＩＤ）を読み取る機能（リード）機能を有している。具体的には、カード情報読取部２６０の磁気ヘッド２７９（図９）により各カードに記録された磁気記録データを読み取ることができる。ここで、プリペイドカードの場合には、このプリペイドカードに記録された磁気データ（識別ＩＤ／番号、店コード、発行日時等の識別符号）を読み取ることができる。カード情報読取部２６１は、搬送されるカードのカード情報を磁気ヘッド２７９により読み込む機能を備えている。
【００７４】
カード収納部２９４は、カードを集積収納し、収納したカードを一枚ずつ繰り出す機能を備えている。また、逆送されるカードを最下位に収納する機能を備えている。また、繰り出し・取り込み機構２９５は、カード収納部２９４からカードを繰り出す機能およびカー収納部２９４にカードを取り込む機能を備えている。
【００７５】
第１カード発行／挿入検知センサ２６５は、発行されたカードがカード発行／挿入口２５０に一時保持された際に、カードの抜き取り（ＯＮ→ＯＦＦ）を検知する機能を備えている。第２カード発行／挿入検知センサ２６６は、発行されたカードがカード発行／挿入口２５０から半出し状態で突出した際に、カードの搬送を停止させ、カード発行／挿入口２５０内に一時的に保持する機能を備えている。なお、このカード発行／挿入処理部２６０および第１、２カード発行／挿入検知センサ２６５、２６６の詳細な構成および機能については、後述する。
【００７６】
硬貨処理部２７３は、オペレータによってホッパ２７４内に補填された１００円／５００円硬貨を精算処理時に、このホッパ２７４から硬貨払出口２６５（図７）を通じて払い出す機能を備えている。具体的には、硬貨を貯留したホッパ２７４を通じて、硬貨の払い出しを制御する機能を備えており、精算制御部２９０からの制御信号に応じた金額の硬貨をホッパ２７４から払い出すための部分である。
【００７７】
紙幣処理部２７１は、精算をおこなう遊技客に対して紙幣収納部２７２内に収納された紙幣を投出する処理部である。具体的には、精算制御部２９０からの制御指示に応じた精算金額の紙幣を紙幣収納部２７２から払い出す機能を備えている。
【００７８】
識別ＩＤ書換部２８１は、精算されて回収されたカードに記録された識別ＩＤを別の識別ＩＤに書き換える機能を備えている。すなわち、プリペイドカードとして使用されず、精算処理用として使用されたプリペイドカード（カード媒体）は、カード発行／精算機２００の内部に取り込まれ回収されるものとなるが、本実施例１の場合、回収されたカードに記録された識別ＩＤを識別ＩＤ書換部２８１により、別の識別ＩＤに書き換えるようにしているため、これにより、カード媒体のリサイクルが可能となり、カードの補充などによる作業の低減を図ることができる。
【００７９】
精算制御部２９０は、カード発行／精算機２００における全体制御を統括する機能を備えている。また、図９に示すように、精算制御部２９０は、精算判定部２９２とカード発行／精算モード選択制御部２９３とを備えており、このうち、精算判定部２９２は、遊技客によりデビット決済によるプリペイドカードの発行時に、発行されたプリペイドカードをそのままプリペイドカードシステムに適用する遊技に使用するか、プリペイドカードに価値付けされた有価価値を精算処理により現金化するかの選択を判定する機能を備えている。本例では、この精算判定部２９２による精算要求の判定は、精算ボタン２３０（図８）の押下（ＯＮ）による精算指示信号の取得或いは、発行されたカードの押し込みにともなう第２カード発行／挿入検知センサ２６６（図１０−２）の出力信号（ＯＦＦ→ＯＮ）により判定することができる。
【００８０】
カード発行／精算モード選択制御部２９３は、デビット決済によるプリペイドカードの発行時に、発行されたプリペイドカードをそのままプリペイドカードシステムに適用する遊技に使用するか、プリペイドカードに価値付けされた有価価値を精算処理により現金化するかの選択を制御する機能を備えている。
【００８１】
通信Ｉ／Ｆ部２９１ａは、デビット端末機３００の通信Ｉ／Ｆ部３７５（図７）との間で通信をおこなう機能を、通信Ｉ／Ｆ部２９１ｂは、島コントローラ２５５との間で通信をおこなう機能を備えている。
【００８２】
（カード発行／挿入処理部２６０の概要および機能）
次に、図９を参照して、カード発行／挿入処理部２６０の詳細について、説明する。図９は、カード発行／挿入処理部２６０および周辺回路の概略構成を示す説明図である。ここで、図９では、カード発行／精算機２００から発行されたカードが、カード発行／挿入口２５０内に一時的に保持され、停止している状態を示している。
【００８３】
前述したように、本発明では、プリペイドカードの残金を精算処理する場合、精算ボタン２３０（図７）の押下（ＯＮ）だけではなく、カード発行／精算機２００のカード発行／挿入口２５０から発行されたカードの後端部を内部に向けて押し込むことにより精算処理を実行できるようにしている。
【００８４】
このため、カード発行／挿入処理部２６０には、カード発行時の搬送及びカード挿入時の搬送をおこなうカード搬送機構部２６２を備えており、図９に示すように、このカード搬送機構部２６２は、カード搬送駆動部２６３と、カード搬送制御部２６４と、第１カード発行／挿入検知センサ２６５と、第２カード発行／挿入検知センサ２６６とを備えている。カード搬送制御部２６４は、カード搬送駆動部２６３による主駆動ローラ２７７の駆動を制御する機能を備えている。カード搬送駆動部２６３は、このカード搬送駆動部２６３から通知される駆動ＯＮ信号により主駆動ローラ２７７の駆動をおこなう機能を備えている。
【００８５】
また、前述したように、第１カード発行／挿入検知センサ２６５は、発行されたカードがカード発行／挿入口２５０に一時保持された際に、カードの抜き取り（ＯＮ→ＯＦＦ）を検知する機能を備えている。第２カード発行／挿入検知センサ２６６は、発行されたカードがカード発行／挿入口２５０から半出し状態で突出した際に、搬送を停止させ、カード発行／挿入口２５０内に一時的に保持する機能を備えている。
【００８６】
また、カード搬送駆動部２６３は、カードの搬送をおこなうための主駆動ローラ２７７および従動ローラ２７８とを備えている。これら主駆動ローラ２７７および従動ローラ２７８は、カード搬送搬制御部２６４による搬送制御による駆動信号に基づいて、駆動することによりカード発行時の搬送（図９で、時計方向に回転）およびカード挿入時の搬送（図９で、反時計方向に回転）をおこなうようになっている。また、カード搬送駆動部２６３の駆動は、第１、２カード発行／挿入検知センサ２６５、２６６によるカードの検知タイミングで制御される。以下、これら第１、２カード発行／挿入検知センサ２６５、２６６による搬送制御について具体的に説明する。
【００８７】
先ず、プリペイドカードの発行時では、カード収納部２９４から送り出されるカードは、カード搬送経路（図示せず）を通じて主駆動ローラ２７７および従動ローラ２７８の回転により、カード搬送機構部２６２にまで到達するとともに、カード発行／挿入口２５０に向けて搬送され、このカードの前端部（図９の右側）が第２カード発行／挿入検知センサ２６６による検知から離隔した位置（センサ出力ＯＮ→ＯＦＦ）に到達したときに、カード搬送駆動部２６３による搬送駆動が停止されカードの後端部（図９の左側）がカード発行／挿入口２５０から半出し状態となり、このカード発行／挿入口２５０内に一時的に保持される。
【００８８】
具体的には、第２カード発行／挿入検知センサ２６６による検知出力がＯＮからＯＦＦになった場合に、カード搬送制御部２６４からカード搬送駆動部２６３に対して、駆動ＯＦＦ信号が通知されるため、カードは、カード発行／挿入口２５０に一時的に保持された状態で停止する。以下、このカードは、そのまま遊技客により取り出されて、プリペイドカード対応の遊技機により利用されるものとなる（精算処理をおこなわない場合）。
【００８９】
一方、精算ボタン２３０の押下（ＯＮ）がある場合には、この精算ボタン２３０による「精算指示信号」が精算判定部２９２およびカード搬送制御部２６４に通知され、これによりカード搬送駆動部２６３からの駆動信号により、主駆動ローラ２７７および従動ローラ２７８の駆動（図９で、反時計方向に回転）が開始される。これにより、カード発行／挿入口２５０に保持されているカードは、カード発行／精算機２００の内部に再び取り込まれることとなる。
【００９０】
以下、図１０−１、図１０−２、図１０−３を参照して、カード発行／挿入処理部２６０によるカード押し込み時の動作を説明する。ここで、カード発行／精算機２００から発行されたカードの押し込みの判定は、第１カード発行／挿入検知センサ２６５のセンサ出力がＯＮ→ＯＦＦとなった時に、第２カード発行／挿入検知センサ２６５のセンサ出力がＯＦＦ→ＯＮとなった場合におこなうことができる。
【００９１】
すなわち、図１０−１に示すように、遊技客が指でカードの後端部（図９の左端部）を押し込むと、この押し込みにともない、図１０−２に示すように、カードの前端部（図９の右端部）が第２カード発行／挿入検知センサ２６６により検知（ＯＦＦ→ＯＮ）され、この検知により、カード搬送制御部２６４（図９）から駆動ＯＮ信号がカード搬送駆動部２６３（図９）に通知されるため、同図に示すように主駆動ローラ２７７および従動ローラ２７８の駆動（反時計方向に回転）によりカードの搬送がおこなわれる。以降、図１０−３に示すように主駆動ローラ２７７および従動ローラ２７８により搬送されたカードは、カード収納部２９４へと搬送される。
【００９２】
（遊技媒体貸出システムにおけるデビット利用時のカード発行／精算処理手順）
次に、図１１のフローチャートを参照して、本実施例１におけるデビット利用時のカード発行／精算処理手順を説明する。この図１１に示すフローチャートは、カード発行／精算機２００と情報処理センタ６００（デビット決済センタ）とターミナルコントローラ４００との間において、カード発行／精算機２００によるデビットカードを利用したプリペイドカード（記録媒体）の発行手順および精算処理手順を示している。
【００９３】
すなわち、先ず、デビット端末機３００の待機中において、遊技客（デビットカードの利用客）によりデビット端末機３００のカード挿入／返却口３３０（図５）にキャッシュカードが挿入されると（ステップＳ１１０）、デビット端末機３００のデビットカード処理部３５０（図６）は、この挿入されたキャッシュカードからカード情報（カードの識別ＩＤ）を読み取る（ステップＳ１２０）。具体的に説明すると、カード挿入／返却口３３０から挿入されたキャッシュカードは、搬送部（図示せず）の搬送により読み取りヘッドまで搬送され、この読み取りヘッドにより、キャッシュカードに記録された識別ＩＤなどのカード情報が読み取られる。以下、キャッシュカードを挿入した遊技客に対して暗証番号の入力を要求する暗証番号の入力表示をおこなう（ステップＳ１３０）。具体的には、デビット端末機３００の表示部３１０に「暗証番号を入力して下さい」などのガイダンスを表示する。
【００９４】
ここで、暗証番号の入力要求を表示部３１０の表示により確認した遊技客がデビット端末機３００により暗証番号を入力すると（ステップＳ１４０）、デビット端末機３００は、この入力された暗証番号を一旦保持（記憶）する（ステップＳ１５０）。次いで、カード発行／精算機２００に対して、暗証番号の「入力完了通知」とともに、「カード発行操作可通知」を送信する（ステップＳ１６０）。なお、ステップＳ１４０による暗証番号の入力は、入力操作部３２０によるテンキー入力によりおこなわれる。
【００９５】
これに対し、カード発行／精算機２００では、デビット端末機３００から送信された暗証番号の「入力完了通知」および「カード発行操作可通知」を受信すると（ステップＳ１７０）、金額選択ボタン２４０を全点灯状態にする（ステップＳ１７５）。以下、遊技客による金額選択ボタン２４０の入力（押下）待ちとなる（ステップＳ１８０）。前述したように、金額選択ボタン２４０は、合計、５種類の金額選択（１００００円、５０００円、３０００円、２０００円、１０００円）があるため、これら５種類の金額のうちいずれかの金額が選択される。
【００９６】
ここで、遊技客により選択される金額選択ボタン２４０は、デビット決済による決済希望金額および精算希望金額となる。そして、この金額選択ボタン２４０の全点灯中に、遊技客により金額選択ボタン２４０のいずれか１つが押下（ＯＮ）されると（ステップＳ１８５）、カード発行／精算機２００は、この押下された金額選択ボタン２４０に対応するプリペイドカードの金額情報（購入希望金額／精算希望金額）をデビット端末機３００に対して通知する（ステップＳ１９０）。
【００９７】
ここで、仮に、遊技客により５０００円の金額選択ボタン２４０が押下（ＯＮ）により選択されたとすると、この時、カード発行／精算機２００からデビット端末機３００には、５０００円の選択金額情報が送信されることとなる。
【００９８】
すなわち、デビット端末機３００は、カード発行／精算機２００から金額情報（５０００円）を受信すると（ステップＳ１９５）、以下、この５０００円をベースとしてデビット決済によるデビット処理に移行する。
【００９９】
ここで、情報処理センタ６００での上記決済処理は、以下の手順で実現できる（Ａの手順）。すなわち、情報処理センタ６００では、上記ステップＳ１９５での処理により受信した各種情報（カード情報、暗証番号、決済希望金額情報）を基に、ＣＡＦＩＳ（Credit and Finance Information System）ネットワーク７００に属するデビットカード発行銀行８００に対して決済処理を依頼する（ステップＳ２００）。
【０１００】
以下、この依頼を受けたデビットカード発行銀行８００は、今回の決済要求にて通知されたキャッシュカードのカードＩＤに対応する口座から当該決済要求で通知された引き落とし金額分を引き落とし、引き落とし処理が終了すると、情報処理センタ６００に対して処理終了の通知をおこなう。また、上記口座の残金不足や暗証番号違い等によって決済処理をおこなえない場合は、その旨を情報処理センタ６００に通知する。
【０１０１】
なお、即時実行分以外の決済処理は、予め決められた期間後（例えば、３営業日後）に実施され、最終的に、上記利用料金から上記決済処理により手数料等を差し引かれた代金が加盟店銀行９００の情報処理センタ６００の口座に振り込まれる。その後、この加盟店銀行９００情報処理センタ６００の口座に振り込まれた代金から情報処理センタ６００の手数料を差し引いた代金として、△△銀行９５０にある各遊技店の口座に、カード会社とパチンコ店の取り決めに従い、カードの使用度数に応じた代金が振り込まれるようになっている。以上が、情報処理センタ６００を介しておこなわれるデビット決済処理の概要である。本例の場合、上述したデビット決済結果が情報処理センタ６００から公衆回線網４５０を介してデビット端末機３００に送信されることとなる（手順Ｂ）。
【０１０２】
以下、再度、図１１のフローチャートに戻り、カード発行／精算処理手順を説明する。すなわち、デビット端末機３００は、情報処理センタ６００から決済結果通知を受信すると（ステップＳ２５０）、カード発行／精算機２００は、カード挿入／返却口３３０を通じて、キャッシュカードを遊技客に返却し（ステップＳ２５５）、次いで、レシート発行口３３５を通じて所定のレシートを発行する（ステップＳ２６０）。以下、デビット端末機３００では、カード発行／精算機２００に対して決済が終了した旨（デビット決済完了通知）の送信をおこなう（ステップＳ２６２）。
【０１０３】
一方、カード発行／精算機２００は、デビット端末機３００から決済完了の通知（現金入金終了通知）を受信すると（ステップＳ２６５）、遊技客によりステップＳ１８５により設定された選択金額を発行金額としてターミナルコントローラ４００に送信する（ステップＳ２７０）。
【０１０４】
一方、ターミナルコントローラ４００は、カード発行／精算機２００から送信された発行金額情報を受信すると（ステップＳ２７５）、この受信した発行金額情報を識別ＩＤに対応付けてプリペイドカード残高管理テーブル４１１に登録をおこなう（ステップＳ２８０）。次いで、このターミナルコントローラ４００は、プリペイドカード残高管理テーブル４１１に、取得したカードによる識別ＩＤを新たに登録して、この登録の旨を「登録完了通知」としてカード発行／精算機２００に送信する（ステップＳ２９０）。
【０１０５】
以下、カード発行／精算機２００は、ターミナルコントローラ４００から送信された「登録完了通知」を受信すると（ステップＳ３００）、このカード発行／精算機２００は、プリペイドカードの発行処理或いは、精算処理のいずれかの処理に移行する（ステップＳ３１０）。前述したように、プリペイドカードの発行処理は、デビット決済された購入希望金額分のプリペイドカードをカード発行／精算機２００から発券する処理である。また、精算処理は、デビット決済された購入希望金額分の金額をカード発行／精算機２００による精算で現金化する処理である。
【０１０６】
この時、カード発行／精算機２００は、カードの発行にともない表示部２２０（図７）に、遊技客に対してプリペイドカードの発行処理か精算処理のいずれかの処理をおこなうかの入力待ちとなる。具体的には、表示部２２０に「現金で遊技される方は、精算ボタンを押して下さい」および「カードで遊技される方は、カードを抜いて下さい」などのガイダンスを表示する（ステップＳ３１５）。
【０１０７】
次いで、以下では、カードの抜き取りがあるか否かの判定をおこなう。具体的には、第１カード発行／挿入検知センサ２６５（図９）によるセンサ出力をチェックし、センサ出力がＯＮ→ＯＦＦである場合には（ステップＳ３２０肯定）、カード発行／精算機２００から発行されたプリペイドカードで遊技をおこなう遊技客によるカードの抜き取りがあったと判定し、この時点で精算処理モードに入らずに終了となる（エンド）。
【０１０８】
一方、ステップＳ３２０の判定により、カードの抜き取りがないと判定された場合には（ステップＳ３２０否定）、次いで、遊技客による精算ボタン２３０（図７）の押下（ＯＮ）があるかの判定をおこない（ステップＳ３３０）、精算ボタン２３０の押下（ＯＮ）がある場合（ステップＳ３３０肯定）には、カード発行／挿入口２５０（図７）に保持されているカードの取り込みをおこない（ステップＳ３４０）、以下、精算処理に移行する。具体的には、ターミナルコントローラ４００に対して、取り込んだカードの残高情報の問い合わせをターミナルコントローラ４００に対しておこなうもので、ステップＳ３４０により取り込んだカードの「残高情報／精算指示依頼通知」を送信する（ステップＳ３５０）。なお、精算ボタン２３０の押下（ＯＮ）があるかの判定（ステップＳ３３０）により、精算ボタン２３０の押下（ＯＮ）がないと判定された場合には（ステップＳ３３０否定）、処理を終了する（エンド）。
【０１０９】
一方、ターミナルコントローラ４００は、カード発行／精算機２００から送信された「残高情報／精算指示依頼通知」を受信すると、該当する識別ＩＤに基づいて、プリペイドカード残金管理テーブル４１１（図４）から残高情報の抽出をおこない（ステップＳ３５５）、取得した残高情報をカード発行／精算機２００に対して送信する（ステップＳ３６０）。
【０１１０】
以下、カード発行／精算機２００は、ターミナルコントローラ４００から送信された残高情報を受信すると（ステップＳ３６５）、精算金額の投出をおこない（ステップＳ３７０）、精算が正常に完了した場合（ステップＳ３７５肯定）、以下、全ての処理を終了する（エンド）。
【０１１１】
ここで、本フローチャートによる処理手順では、精算ボタン２３０の押下（ＯＮ）判定により、遊技客の精算処理要求を判定しているが、前述したように、カード発行／精算装置２００から発行された後、カード発行／挿入口２５０に保持されているカードの押し込みを判定した場合に精算処理要求があったと判定するため、この場合も、ステップＳ３４０移行の精算処理に移行する制御をおこなうものとする。なお、前述したように、カード発行／挿入口２５０に保持されているカードの押し込みの判定は、第１カード発行／挿入検知センサ２６５のセンサ出力がＯＮ→ＯＦＦとなった時に、第２カード発行／挿入検知センサ２６５のセンサ出力がＯＦＦ→ＯＮとなった場合におこなうことができる。
【０１１２】
ここで、前述したように、本発明では、プリペイドカードの発行時、このプリペイドカードをカード発行／挿入口２５０（図７）の位置に、半出し状態で保持した状態で、即時、精算処理をおこなうようにしているため、以下に示す作用効果を実現することができる。すなわち、カード発行／精算機２００では、プリペイドカードの発行時、このプリペイドカードをカード発行／挿入口２５０（図７）の位置に、半出し状態で保持しているため、この位置で停止しているカードは、間違いなく自機が発行したカードである事がわかることから（カード発行／挿入口２５０に保持されたプリペイドカードの抜き取りがないことが判定される）、ターミナルコントローラ４００に対するカード情報に関わる通信処理（カードに価値付けされた残度数の確認要求や問い合わせ／ターミナルコントローラ４００から送信される残度数の受信／暗号化にかかる通信処理など）を省略することができる。具体的には、前記図１１のフローチャートに示した、ステップＳ３５０からステップＳ３６５までの処理手順を省略することができるため、これによって、通信待ち時間の短縮を大幅に図ることができる。
【０１１３】
さらに、カード発行後の精算処理までの間にターミナルコントローラ４００に何らかのトラブルがあった場合や、問い合わせに対する応答が返せない場合などでは、そのトラブルが解消されるまでは精算処理ができないことから遊技客に対する不都合を招くことが予想されるが、本発明では、カードの引き抜きがないと判定された場合には、ターミナルコントローラ４００側に問い合わせを一時的に中止（或いは、中断）するようにしているため、これによって、ターミナルコントローラ４００側で、発生したトラブルを未然に回避できるうえ、ターミナルコントローラ４００でのチェックが無くとも不正な精算操作などを防止することができる。
【０１１４】
以上説明したように、本実施例１に係るデビット決済による遊技媒体貸出システムによれば、デビット決済によるプリペイドカードの発行をおこなうカード発行機能とプリペイドカードに価値付けされた価値情報（残金）の精算処理をおこなうカード発行／精算機２００を備えたので、カード発行／精算機２００の精算機能により現金化した現金を使用して、プリペイドカードが使用できない現金対応のパチスロ機や台間玉貸出機を対象とした遊技を可能とすることができる。
【実施例２】
【０１１５】
さて、これまで本発明の実施例について説明したが、本発明は上述した実施例１以外にも、上記特許請求の範囲に記載した技術的思想の範囲内において、種々の異なる実施例にて実施することもできる。以下では、本発明に関する種々の変形例を順に説明する。
【０１１６】
すなわち、上述した実施例１では、デビット端末機３００とカード発行／精算機２００とは、別体としてそれぞれ構成されているが、図１２に示すように、デビット端末機３００とカード発行／精算機２００とを一体として構成することもできる。このように、デビット端末機３００とカード発行／精算機２００とを一体として構成した場合には（カード発行／精算機２００ａ）、端末操作の容易化を図ることができるうえ、利便性を向上することができる。
【０１１７】
また、上述した実施例１において使用される記録媒体は、プリペイドカード或いは、会員カードとしているが、本発明に適用可能な記録媒体は記録方式や媒体形状に限定されることなく、これらプリペイドカード、会員カード以外にも、例えば、ＩＣコイン、ＩＣチップなども記録媒体として本発明に適用することができる。この場合、ＩＣコインを適用する場合には、別途、ＩＣコイン用のＩＣコイン挿入／返却口およびＩＣコインの記録情報を読み取る読み取り装置を設けることで、本発明をＩＣコイン用のコイン発行／精算システムとして適用することができる。
【０１１８】
また、上述した実施例１では、遊技客に精算の意志がある場合、精算ボタン２３０の押下（ＯＮ）或いは、プリペイドカードの後端部を押し込むことにより精算処理に移行するものとしているが、さらに、精算時の処理時間の短縮化を図るべく、精算ボタン２３０の押下（ＯＮ）或いは、発行されたプリペイドカードの押し込みがない時でも、カードの発行後、カード発行／挿入口２５０に保持されているカードの保持時間を検出し、「所定の時間」が経過した場合は、半出し状態のプリペイドカードを自動的にカード発行／精算機２００の内部に取り込むとともに、精算処理をおこなう構成としてもよい。このようにすれば、遊技客がカードを押し込み忘れて待ったままとなる状態を回避でき、精算処理の効率化を図ることができる。
【０１１９】
また、上述した実施例１では、精算対象のカードをプリペイドカードとしているが、この精算対象のカードは、プリペイドカードではなく、カード発行／精算機２００の内部に別途、精算処理用のカード媒体を用意し、精算ボタン２３０の押下（ＯＮ）時に、この精算処理用のカード媒体に、該当する価値情報（残金情報）を記録し、精算処理用のカードとして発行するようにしてもよい。この場合、カード発行／精算機２００の内部にプリペイドカード用のカード媒体収納部と精算処理用のカード媒体収納部とを設け、精算ボタン２３０の押下（ＯＮ）時にのみ精算処理用のカード媒体収納部から精算用のカード媒体が発行される機構となる。
【０１２０】
また、上述した実施例１では、プリペイドカードに対する精算処理について説明しているが、会員カードを対象とする精算処理装置としても、本発明によるカード発行／精算機２００を適用することができる。この場合、会員カードに記録されている会員コード（識別ＩＤ）に関連付けて、残高情報をターミナルコントローラ４００のプリペイドカード残高管理テーブル４１１に記憶させるとともに、プリペイドカードと同様に、カード発行／精算機２００の内部からカード発行／精算機２００の位置に保持された会員カードに対して、精算ボタンの押下（ＯＮ）および押し込みによる精算処理或いは、この会員カードをそのまま遊技に使用するかの選択処理をおこなうこととなる。なお、精算処理が終了した会員カードは、カード発行／返却口２５０を通じて返却されるものとなる。
【産業上の利用可能性】
【０１２１】
以上のように、本発明に係る遊技媒体貸出システムは、デビットカードや会員カードなどのデビット決済を利用できる記録媒体を受け入れることにより、デビット決済を利用した遊技媒体の貸し出しをおこなう遊技媒体貸出システムに適している。
【図面の簡単な説明】
【０１２２】
【図１】本実施例１に係る遊技媒体貸出システムの全体構成を示すシステム構成図である。
【図２】デビット端末機とカード発行／精算機と情報処理センタの構成及び接続態様を示す概念図である。
【図３】図１に示したターミナルコントローラの内部構成を示す機能ブロック図である。
【図４】プリペイドカード残金管理テーブルの内部構成を示す説明図である。
【図５】デビット端末機の外観を示す正面図である。
【図６】デビット端末機の内部構成を示す全体機能ブロック図である。
【図７】カード発行／精算機の外観を示す正面図である。
【図８】カード発行／精算機の内部構成を示す全体機能ブロック図である。
【図９】カード発行／挿入処理部の構成および回路構成を示す説明図である。
【図１０−１】カード押し込み時の搬送形態を示す説明図である。
【図１０−２】カードの搬送状態を示す説明図である。
【図１０−３】カードの搬送状態を示す説明図である。
【図１１】実施例１に係る遊技媒体貸出システムによるカード発行／精算処理手順の流れを示すフローチャートである。
【図１２】デビット端末機とカード発行／精算機との一体構成を示す正面図である。
【符号の説明】
【０１２３】
１００  パチンコ機
１５０  カード処理機
１８０  パチスロ機
１９０  メダル貸出機
２００、２００ａ  カード発行／精算機
２２０、３１０  表示部
２３０  精算ボタン
２４０  金額選択ボタン
２５０  カード発行／挿入口
２５５  島コントローラ
２６０  紙幣払い出し口
２６１  カード情報読取部
２６２  カード搬送機構部
２６３  カード搬送駆動部
２６４  カード搬送制御部
２６５  第１カード発行／挿入検知センサ
２６６  第２カード発行／挿入検知センサ
２７１  紙幣処理部
２７２  紙幣収納部
２７３  硬貨処理部
２７４  ホッパ
２７７  主駆動ローラ
２７８  従動ローラ
２８０  発行制御部
２８１  識別ＩＤ書換部
２９０  精算制御部
２９１ａ、２９１ｂ、４１４  通信Ｉ／Ｆ部
２９２  精算判定部
２９３  カード発行／精算モード選択制御部
２９４  カード収納部
２９５  繰り出し・取り込み機構
３００  デビット端末機
３２０  操作入力部
３３５  レシート発行口
３４０  印字部
３５０  デビットカード処理部
３６０  デビット制御部
４００  ターミナルコントローラ（Ｔ／Ｃ）
４１０  ＲＡＭ
４１１  プリペイドカード残金管理テーブル
４１２  ＣＰＵ
４１３  ＲＯＭ
４１６  入力部
４５０、４６０  公衆回線網
５００  カード会社センタ
６００  情報処理センタ
７００  ＣＡＦＩＳネットワーク
７１０  クリアリングセンタ
８００  デビットカード発行銀行
９００  加盟店銀行
９５０  △△銀行
【図１】
2006000325.tif 000003
【図２】
2006000325.tif 000004
【図３】
2006000325.tif 000005
【図４】
2006000325.tif 000006
【図５】
2006000325.tif 000007
【図６】
2006000325.tif 000008
【図７】
2006000325.tif 000009
【図８】
2006000325.tif 000010
【図９】
2006000325.tif 000011
【図１０−１】
2006000325.tif 000012
【図１０−２】
2006000325.tif 000013
【図１０−３】
2006000325.tif 000014
【図１１】
2006000325.tif 000015
【図１２】
2006000325.tif 000016